(57)【特許請求の範囲】
【請求項１】
歯科用歯石除去器・リザーバシステムであって、
歯石除去器ハウジングと、
リザーバ弁及び圧縮機を取り囲んでいる圧縮機ハウジングと、
内部チャンバを有しているリザーバハウジングと、
ハンドピース弁、ハンドピース導管及び振動部材を取り囲んでいるハンドピースハウジングと、
を具備しており、
前記歯石除去器ハウジングは、前記リザーバハウジングによって支持されており、
前記圧縮機ハウジングは、前記歯石除去器ハウジング及び前記リザーバハウジングによって支持されており且つそれらに接続されており、
前記圧縮機が、圧縮機導管に接続されており、前記圧縮機導管は、前記リザーバハウジングの前記内部チャンバに接続されており、これにより、前記圧縮機と前記リザーバハウジングの前記内部チャンバとの間の流体流れ連通状態が、もたらされており、
前記リザーバハウジングの前記内部チャンバが、リザーバ導管に接続されており、前記リザーバ導管は、前記リザーバ弁に接続されており、これにより、前記内部チャンバと前記リザーバ弁との間の流体流れ連通状態が、もたらされており、且つ
前記リザーバ弁が、ハンドピース導管に接続されており、前記ハンドピース導管は、前記ハンドピース弁に接続されており、これにより、前記リザーバ弁と前記ハンドピース弁との間の流体流れ連通状態が、もたらされている、
歯科用歯石除去器・リザーバシステム。
【請求項２】
前記歯石除去器ハウジングは前記リザーバハウジングの上方に位置づけられており、且つ前記圧縮機ハウジングは前記歯石除去器ハウジング及び前記リザーバハウジングの横に位置づけられている、請求項１の歯科用歯石除去器・リザーバシステム。
【請求項３】
歯科用歯石除去器・リザーバシステムであって、
歯石除去器ハウジングと、歯石除去器弁と、
圧縮機ハウジングと、リザーバ弁と、圧縮機と、
内部チャンバを有しているリザーバハウジングと、
ハンドピース弁及び振動部材を有しているハンドピースハウジングと、
を具備しており、
前記歯石除去器ハウジングは、前記リザーバハウジングの上方に位置づけられており且つそれによって支持されており、
前記圧縮機は、圧縮機導管に接続されており、前記圧縮機導管は、前記リザーバハウジングの前記内部チャンバに接続されており、これにより、前記圧縮機と前記リザーバハウジングの前記内部チャンバとの間の流体流れ連通状態が、もたらされており、
前記圧縮機ハウジングは前記歯石除去器ハウジング及び前記リザーバハウジングの横に位置づけられており、それらによって支持されており且つそれらに接続されており、
前記リザーバハウジングの前記内部チャンバは、リザーバ導管に接続されており、前記リザーバ導管は、前記リザーバ弁に接続されており、これにより、前記内部チャンバと前記リザーバ弁との間の流体流れ連通状態が、もたらされており、且つ
前記リザーバ弁は、ハンドピース導管に接続されており、前記ハンドピース導管は、前記ハンドピース弁に接続されており、これにより、前記リザーバ弁と前記ハンドピース弁との間の流体流れ連通状態が、もたらされている、
歯科用歯石除去器・リザーバシステム。
【請求項４】
歯科用歯石除去器・リザーバシステムであって、
ハンドピース弁を有する歯石除去器ハンドピースと、
歯石除去器導管を取り囲んでいる歯石除去器ハウジングを具備している歯石除去器と、
リザーバ弁及び空気圧縮機を取り囲んでいる圧縮機ハウジングを具備している圧縮機と、
リザーバ内部チャンバを有しているリザーバハウジングを具備しているリザーバと、
を具備しており、
前記圧縮機ハウジングは、前記歯石除去器ハウジング及び前記リザーバハウジングに取り外し可能に接続されており、
前記空気圧縮機は、圧縮機導管に接続されており、前記圧縮機導管は、前記リザーバハウジングの前記リザーバ内部チャンバに接続されており、これにより、前記空気圧縮機と前記リザーバハウジングの前記リザーバ内部チャンバとの間の流体流れ連通状態が、もたらされており、
前記リザーバハウジングの前記リザーバ内部チャンバは、リザーバ導管に接続されており、前記リザーバ導管は、前記リザーバ弁に接続されており、これにより、前記リザーバ内部チャンバと前記リザーバ弁との間の流体流れ連通状態が、もたらされており、
前記圧縮機は、圧縮機導管によって前記リザーバハウジングの前記内部チャンバに流体流れ連通状態で接続されており、
前記歯石除去器ハウジングは、前記リザーバハウジングの上方に位置づけられており且つそれによって支持されており、
前記圧縮機ハウジングは前記歯石除去器ハウジング及び前記リザーバハウジングの横に位置づけられており、それらによって支持されており且つそれらに接続されており、且つ
前記リザーバハウジングの前記リザーバ弁は前記歯石除去器導管及び前記リザーバ内部チャンバに流体流れ連通状態で接続されている、
歯科用歯石除去器・リザーバシステム。
【請求項５】
ハンドピース弁及びハンドピース導管を取り囲んでいるハンドピースハウジングを更に具備しており、且つ
前記リザーバ弁は、前記ハンドピース導管に接続されており、前記ハンドピース導管は、前記ハンドピース弁に接続されており、これにより、前記リザーバ弁と前記ハンドピース弁との間の流体流れ連通状態が、もたらされている、
請求項４の歯科用歯石除去器・リザーバシステム。
【発明の詳細な説明】
【０００１】
これは、１９９９年９月２８日に出願された仮特許出願第６０/１５６,０００号(ｃａｓｅ  ＰＣＤ−７２３２−ＰＲＯ)であって、それを引用することによってその全体が本明細書に組み入れられているものの一部継続出願である。
本発明は、歯科用歯石除去器及び歯石除去方法に関する。より具体的には、本発明は、改良された歯科用歯石除去器及び歯石除去方法を提供する。
【０００２】
【発明の背景】
Ｓｃｈｕｍａｎ等は、米国特許出願第０８/７２３,１９９号(状況：許可済み且つ特許発行料金支払済み：Ｃａｓｅ  ＣＡＶ−７２２２Ａ(Ｄｅｎｔｓｐｌｙ))において、歯科用歯石除去器・リザーバシステムを開示している。従来技術の歯科用歯石除去器・リザーバシステムは、本発明によって提供されるような歯科用歯石除去器をリザーバ上で支持し且つそれを圧縮機システムに接続することはない。リザーバの有無に拘らず動作可能な歯科用歯石除去器を、従来技術は、提供しない。歯石除去器弁を取り囲んでいる歯石除去器ハウジングと、リザーバ弁及び圧縮機を取り囲んでいる圧縮機ハウジングと、内部チャンバを有しているリザーバハウジングとを具備している歯科用歯石除去器・リザーバシステムであって、歯石除去器ハウジングはリザーバハウジングによって支持されており、圧縮機ハウジングは歯石除去器ハウジング及びリザーバハウジングによって支持され且つそれらに接続されている、ものを、その従来技術は、提供しない。第１の歯石除去器導管と、歯科用歯石除去器システムであって、第２の歯石除去器導管及び歯石除去器弁を取り囲んでいる歯石除去器ハウジングを具備している歯石除去器システムを具備しており、第１の歯石除去器導管は歯石除去器弁との流体流れ連通状態では接続されていない、ものとを用意することと、ハンドピースシステムであって、歯石除去器チップと、ハンドピース導管及びハンドピース弁を取り囲んでいるハンドピースハウジングとを具備しているものを用意することと、ハンドピース導管を第１の歯石除去器導管に流体流れ連通状態で接続することと、第１の歯石除去器導管、歯石除去器弁及びハンドピース弁を介して、第１の流体を歯石除去器チップに運ぶことと、ハンドピース導管を第２の歯石除去器導管に流体流れ連通状態で接続することと、第２の歯石除去器導管及びハンドピース弁を介して、第２の流体を歯石除去器チップに運ぶこととを具備している、歯科用歯石除去器システムを使用する方法を、その従来技術は、提供しない。また、歯科用歯石除去器システムであって、歯石除去器システムと圧縮機システムとハンドピースシステムとを具備しているものを用意することを具備している、歯科用歯石除去器システムを使用する方法をも、その従来技術は、提供しない。歯石除去器システムは、歯石除去器導管及び歯石除去器弁を取り囲んでいる歯石除去器ハウジングを具備している。圧縮機システムは、リザーバと、圧縮機及び圧縮機導管を取り囲んでいる圧縮機ハウジングとを具備している。リザーバは、リザーバ流体を容器チャンバ内に閉じ込めている容器を具備している。ハンドピースシステムは、歯石除去器チップと、ハンドピース導管及びハンドピース弁を取り囲んでいるハンドピースハウジングとを具備している。ハンドピース導管は、圧縮機導管に流体流れ連通状態で接続されている。リザーバ流体の少なくとも部分が、圧縮機導管、歯石除去器弁及びハンドピース弁を介して、歯石除去器チップに運ばれる。ハンドピース導管は、歯石除去器導管に流体流れ連通状態で接続されており、そして、水が、歯石除去器導管及びハンドピース弁を介して、歯石除去器チップに運ばれる。ハンドピース導管が圧縮機導管に流体流れ連通状態で接続���れる場合には、圧縮機ハウジングは、歯石除去器ハウジングとリザーバハウジングとに接続され、歯石除去器ハンドピースは、リザーバハウジングによって支持される。ハンドピース導管が歯石除去器導管に流体流れ連通状態で接続される場合には、歯石除去器ハウジングは、実質的に水平な面によって支持される。
【０００３】
従来技術の課題は、本発明によって克服される。
【０００４】
【発明の目的】
本発明の目的は、歯科用歯石除去器・リザーバシステムであって、歯科用歯石除去器をリザーバ上に支持し且つそれを圧縮機システムに接続するものを提供することである。
【０００５】
本発明の目的は、歯科用歯石除去器・リザーバシステムであって、リザーバの有無に拘らず動作可能な歯科用歯石除去器を供給するものを提供することである。
【０００６】
本発明の目的は、歯科用歯石除去器・リザーバシステムであって、歯石除去器弁を取り囲んでいる歯石除去器ハウジングと、リザーバ弁及び圧縮機を取り囲んでいる圧縮機ハウジングと、内部チャンバを有しているリザーバハウジングとを有しており、歯石除去器ハウジングは、リザーバハウジングによって支持されていると共に、圧縮機ハウジングは、歯石除去器ハウジング及びリザーバハウジングによって支持されており且つそれらに接続されている、ものを提供することである。
【０００７】
本発明の目的は、歯石除去器・リザーバシステムであって、歯石除去チップを有している歯石除去器ハンドピースと、歯石除去器弁を取り囲んでいる歯石除去器ハウジングと、リザーバ弁及び圧縮機を取り囲んでいる圧縮機ハウジングと、内部チャンバを有しているリザーバハウジングとを具備しており、歯石除去器ハウジングは、リザーバハウジングによって支持されていると共に、圧縮機ハウジングは、歯石除去器ハウジング及びリザーバハウジングによって支持されており且つそれらに接続されており、歯石除去器ハンドピースは、歯石除去器ハウジングに接続されており、チップを振動させ、且つ歯石除去器チップを歯に隣接して位置させることによって患者の歯における歯石を除去する、ものを使用する歯石除去方法を提供することである。
【０００８】
本発明の目的は、歯科用歯石除去器システムを使用する方法であって、第１の歯石除去器導管と、歯科用歯石除去器システムであって、第２の歯石除去器導管及び歯石除去器弁を取り囲んでいる歯石除去器ハウジングを具備している歯石除去器システムを具備しており、第１の歯石除去器導管は歯石除去器弁との流体流れ連通状態では接続されていない、ものとを用意することと、ハンドピースシステムであって、歯石除去器チップと、ハンドピース導管及びハンドピース弁を取り囲んでいるハンドピースハウジングとを具備しているものを用意することと、ハンドピース導管を第１の歯石除去器導管に流体流れ連通状態で接続することと、第１の歯石除去器導管、歯石除去器弁及びハンドピース弁を介して、第１の流体を歯石除去器チップに運ぶことと、ハンドピース導管を第２の歯石除去器導管に流体流れ連通状態で接続することと、第２の歯石除去器導管及びハンドピース弁を介して、第２の流体を歯石除去器チップに運ぶこととを具備しているものを提供することである。
【０００９】
本発明の目的は、歯科用歯石除去器システムを使用する方法であって、歯石除去器システムと圧縮機システムとハンドピースシステムとを具備している歯科用歯石除去器システムを用意することを具備しているものを提供することである。歯石除去器システムは、歯石除去器導管及び歯石除去器弁を取り囲んでいる歯石除去器ハウジングを具備している。圧縮機システムは、リザーバと、圧縮機及び圧縮機導管を取り囲んでいる圧縮機ハウジングとを具備している。リザーバは、リザーバ流体を容器チャンバ内に閉じ込めている容器を具備している。ハンドピースシステムは、歯石除去器チップと、ハンドピース導管及びハンドピース弁を取り囲んでいるハンドピースハウジングとを具備している。ハンドピース導管は、圧縮機導管に流体流れ連通状態で接続されている。リザーバ流体の少なくとも部分は、圧縮機導管、歯石除去器弁及びハンドピース弁を介して、歯石除去器チップに運ばれる。ハンドピース導管は、歯石除去器導管に流体流れ連通状態で接続されており、水が、歯石除去器導管を介して運ばれ、そして、ハンドピース弁は、歯石除去器チップに流体流れ連通状態で接続されている。
【００１０】
【発明の概要】
本発明は、歯石除去器・リザーバシステムであって、歯石除去チップを有している歯石除去器ハンドピースと、歯石除去器弁を取り囲んでいる歯石除去器ハウジングと、リザーバ弁及び圧縮機を取り囲んでいる圧縮機ハウジングと、内部チャンバを有しているリザーバハウジングとを具備しており、歯石除去器ハウジングは、リザーバハウジングによって支持されていると共に、圧縮機ハウジングは、歯石除去器ハウジング及びリザーバハウジングによって支持されており且つそれらに接続されており、歯石除去器ハンドピースは、歯石除去器ハウジングに接続されており、チップを振動させ、且つ歯石除去チップを歯に隣接して位置させることによって患者の歯における歯石を除去する、ものを使用する歯石除去方法を提供する。
【００１１】
本発明は、歯科用歯石除去器・リザーバシステムであって、歯石除去器ハウジングと、歯石除去器弁と、圧縮機ハウジングと、リザーバ弁と、圧縮機と、内部チャンバを有しているリザーバハウジングと、ハンドピース弁及び振動部材を有しているハンドピースハウジングとを具備しているものを提供する。歯石除去器ハウジングは、リザーバハウジングによって支持されている。圧縮機は、圧縮機導管に接続されている。圧縮機導管は、リザーバハウジングの内部チャンバに接続されており、これにより、圧縮機とリザーバハウジングの内部チャンバとの間の流体流れ連通状態が、もたらされている。リザーバハウジングの内部チャンバは、リザーバ導管に接続されている。リザーバ導管は、リザーバ弁に接続されており、これにより、内部チャンバとリザーバ弁との間の流体流れ連通状態が、もたらされている。リザーバ弁は、ハンドピース導管に接続されている。ハンドピース導管は、ハンドピース弁に接続されており、これにより、リザーバ弁とハンドピース弁との間の流体流れ連通状態が、もたらされている。
【００１２】
本発明は、歯科用歯石除去器システムを使用する方法であって、第１の歯石除去器導管と、歯科用歯石除去器システムであって、第２の歯石除去器導管及び歯石除去器弁を取り囲んでいる歯石除去器ハウジングを具備している歯石除去器システムを具備しており、第１の歯石除去器導管は歯石除去器弁との流体流れ連通状態では接続されていない、ものとを用意することと、ハンドピースシステムであって、歯石除去器チップと、ハンドピース導管及びハンドピース弁を取り囲んでいるハンドピースハウジングとを具備しているものを用意することと、ハンドピース導管を第１の歯石除去器導管に流体流れ連通状態で接続することと、第１の歯石除去器導管、歯石除去器弁及びハンドピース弁を介して、第１の流体を歯石除去器チップに運ぶことと、ハンドピース導管を第２の歯石除去器導管に流体流れ連通状態で接続することと、第２の歯石除去器導管及びハンドピース弁を介して、第２の流体を歯石除去器チップに運ぶこととを具備しているものを提供する。
【００１３】
本発明は、歯科用歯石除去器システムを使用する方法であって、歯石除去器システムと圧縮機システムとハンドピースシステムとを具備している歯科用歯石除去器システムを用意することを具備しているものを提供する。歯石除去器システムは、歯石除去器導管及び歯石除去器弁を取り囲んでいる歯石除去器ハウジングを具備している。圧縮機システムは、リザーバと、圧縮機及び圧縮機導管を取り囲んでいる圧縮機ハウジングとを具備している。リザーバは、リザーバ流体を容器チャンバ内に閉じ込めている容器を具備している。ハンドピースシステムは、歯石除去器チップと、ハンドピース導管及びハンドピース弁を取り囲んでいるハンドピースハウジングとを具備している。ハンドピース導管は、圧縮機導管に流体流れ連通状態で接続されている。リザーバ流体の少なくとも部分は、圧縮機導管、歯石除去器弁及びハンドピース弁を介して、歯石除去器チップに運ばれる。ハンドピース導管は、歯石除去器導管に流体流れ連通状態で接続されており、水が、歯石除去器導管を介して運ばれ、そして、ハンドピース弁は、歯石除去器チップに流体流れ連通状態で接続されている。ハンドピース導管が圧縮機導管に流体流れ連通状態で接続される場合には、圧縮機ハウジングが、歯石除去器ハウジングとリザーバハウジングとに接続され、歯石除去器ハンドピースは、リザーバハウジングによって支持される。ハンドピース導管が歯石除去器導管に流体流れ連通状態で接続される場合には、歯石除去器ハウジングは、実質的に水平な面によって支持される。
【００１４】
本発明は、歯科用歯石除去器システムを使用する方法であって、歯石除去器システム及び圧縮機システムを用意することを具備しているものを提供する。歯石除去器システムは、電気導体を介して接続されている電気歯石除去器回路を取り囲んでいる歯石除去器ハウジングと、電気歯石除去器コネクタと、歯石除去器弁に接続されている歯石除去器導管とを具備している。圧縮機システムは、リザーバと、電気導体を介して圧縮機に接続されている電気圧縮機コネクタ及びリザーバに接続されている圧縮機導管を取り囲んでいる圧縮機ハウジングとを具備している。リザーバは、リザーバ流体を容器チャンバ内に閉じ込めている容器を具備している。電気圧縮機コネクタと電気歯石除去器コネクタとが接続されており、歯石除去器ハウジングがリザーバによって支持されており且つ圧縮機導管がハンドピースとの流体流れ連通状態にある間、電気歯科用歯石除去器回路は、超音波発振電流を生成する。電気圧縮機コネクタと電気歯石除去器コネクタとが接続されておらず、歯石除去器ハウジングと圧縮機ハウジングとが分離されており且つ歯石除去器導管がハンドピースとの流体流れ連通状態にある間、電気歯科用歯石除去器回路は、超音波発振電流を生成する。
【００１５】
【発明の詳細な記載】
ここで、本発明が、より詳細に図１〜図１６を参照して、記載される。歯科用歯石除去器・リザーバシステム１０は、歯石除去器ハウジング１２と、圧縮機ハウジング１６と、リザーバハウジング１４とを備えている。歯石除去器ハウジング１２と圧縮機ハウジング１６とは、好適に、ポリプロピレンのような成形硬質高分子プラスチックで作られている。歯石除去器ハウジングベース１２Ｂは、好適に、アルミニウムで作られている。歯石除去器ハウジング１２の上面は、ハンドピース保持溝部１１Ｇと、電力指示灯１１Ｐとを有している。リザーバキャップ１２Ｃが、リザーバハウジング前部１４Ｒのリザーバ充填開口コネクタ１３にねじ作用で接続されており、そのリザーバハウジング前部１４Ｒは、歯石除去器ハウジング１２を越えて延びている。歯石除去器ハンドピース１８は、可撓性導管２０を介して圧縮機ハウジング１６に接続される。使用と使用との間、ハンドピース１８は、溝部によって支持される。前足部２４及び２６と後足部２４Ｒ及び２６Ｒとが、リザーバハウジング１４に接続されている。電力制御ノブ２２が、歯石除去器ハウジング１２を貫通して、図１６に示されている歯石除去器回路１１４のスイッチ１１２に接続されている。圧縮機が使用状態にあるときには、圧縮機ハウジング１６は、ハンドピースコードコネクタ１６Ｈを介してハンドピースコネクタ２０Ｃに、電気フットスイッチコードコネクタ１６Ｆを介してフットスイッチに、そして、電力コードコネクタ１６Ｐを介してコンセントに接続されている。
【００１６】
図１〜図９をより詳細に参照するに、圧縮機ハウジング１６は六分の一回転コネクタ３２を有しており且つリザーバハウジング１４は六分の一回転コネクタ３４を有しているということが、認められる。歯科用歯石除去器・リザーバシステム１０が組み立てられた状態にあるときには、六分の一回転コネクタ３４は、六分の一回転コネクタ３２と係合している。歯石除去器ハウジング１２は、スナップ嵌めキャッチ３８を有している。スナップ嵌めコネクタ３８Ｃが、キャッチ３８を歯石除去器ハウジング１２に接続している。リザーバハウジング１４は、ポリプロピレンのような成形硬質高分子プラスチックで好適に作られていると共に、スナップ嵌めコネクタ４０を有している。歯科用歯石除去器・リザーバシステム１０が組み立てられた状態にあるときには、スナップ嵌めコネクタ４０は、スナップ嵌めキャッチ３８と係合している。歯科用歯石除去器・リザーバシステム１０が組み立てられた状態にあるときには、内圧縮機制御コネクタ４４は、外圧縮機制御コネクタ４６と係合し且つそれへの電気的接続をもたらしている。歯科用歯石除去器・リザーバシステム１０が組み立てられた状態にあるときには、圧縮機制御コネクターフランジ４４Ｆは、圧縮機制御コネクタ凹壁４４Ｒ内へ延入する。前足部２４Ｓ及び２６Ｓ並びに後足部２４ＲＳ及び２６ＲＳが、歯石除去器ハウジングベース１２Ｂに接続されている。
【００１７】
歯科用歯石除去器・リザーバシステムが組み立てられた状態にあるときには、導管コネクタ６７は、凹部６７Ｒ内へ嵌入する。圧縮機なしで歯石除去器が使用されつつあるときには、歯石除去器ハウジング１２は、ハンドピースコードコネクタ１２Ｈを介してハンドピースコネクタ２０Ｃに、電気フットスイッチコードコネクタ１２Ｆを介してフットスイッチに、そして、電力コードコネクタ１２Ｐを介してコンセントに接続されている。
【００１８】
図１０〜図１３をより詳細に参照するに、弁１５４と導管コネクタ１７０とを有している研磨器ハンドピース１１８が、認められる。コネクタ１７０は、アーム１７２を有していると共に、回転可能なハンドピースキャップ１７４によって取り囲まれている。ハンドピースキャップ１７４は、ハンドピース本体１７６に回転可能に接続されている。ハンドピースキャップ１７４は、リブ１７８を有している。コネクタ１７０は、ハンドピースキャップ１７４を回転させることによって調節される。アーム１７２は、キャップ１７４内の溝１７３内へ嵌入し、ハンドピースキャップ１７４が回転させられると、コネクタ１７０を回動させる。コネクタ１７０は、チューブ１７０Ｔに接続されている。超音波歯石除去インサート１８０が、インサートチャンネル壁１８２によって取り囲まれているインサートチャンバ内へ且つコイル１８Ｃ内に位置させられる。コイル１８Ｃは、電気導体１８Ｅを介してピン１８Ｐに接続されている。電気導体は、ピン１８Ｐに接続されている。コネクタ１７０及び電気導体１８Ｅは、導管２０を通ってコネクタ２０Ｃまで延びている。超音波歯石除去チップ１８４が、インサート１８０に接続されている。
【００１９】
図１４をより詳細に参照するに、歯科用歯石除去器１１を使用するオペレーショナル歯科用歯石除去器システムが、認められる。導管６６は、導管コネクタ６７を介して加圧流体源６４に接続されている。加圧流体は、例えば２３℃で約１５〜６０ｐｓｉｇの液体の水である。歯科用歯石除去器１１は、加圧流体源６４から、導管６６、弁５０、導管５２、弁５４、導管５５を介して、歯Ｔへ流体を運ぶべく作動させられる。使用時において、導管５５を介する流体の流れは、約５ｍｌ/分〜約５５ｍｌ/分の範囲内で調節可能である。使用時において、チップ１８４は、約２３,５００〜約２６,５００Ｈｚの振動数で振動させられる。
【００２０】
ハンドピース１８は、可撓性導管２０を介して歯科用歯石除去器１１に接続される。次いで、歯科用歯石除去器１１は、加圧流体源６４から、導管６６、弁５０、導管５２、弁１５４を介して、歯Ｔへ流体を運ぶべく作動させられる。
【００２１】
歯科用歯石除去器・リザーバシステム１０は、図１５に示されているようにして、流体を運ぶべく作動させられる。歯科用歯石除去器・リザーバシステム１０は、リザーバ１４によって取り囲まれているチャンバから、コネクタ開口５７Ｃ、導管５７、弁５６、導管５８、弁５４、導管５５を介して、歯Ｔへ流体を運ぶべく作動させられる。圧縮機６０からの圧縮空気は、導管６２とコネクタ開口６２Ｃとを介して、リザーバ１４内の流体上方の空間内へ運ばれ、もって、流体上方の圧力が、約１５〜約２０ｐｓｉｇまで好適に上昇させられる。弁５６及び弁５４が開いていると、リザーバ１４内の流体上方の空間内の圧縮空気は、リザーバ１４から、導管５７、弁５６、導管５８、弁５４、導管５５を介して、歯Ｔへ流体を押し進める。任意に、導管６２は、押ボタン式圧力リリーフ弁６２Ｖを介して大気に通気される。使用時において、導管５５を介する流体の流れは、約５ｍｌ/分〜約５５ｍｌ/分の範囲内で調節可能である。使用時において、チップ１８４は、約２３,５００〜約２６,５００Ｈｚの振動数で振動させられる。好適に、弁５０及び５６は、ソレノイド弁である。
【００２２】
図１６をより詳細に参照するに、歯科用歯石除去器システム１１用の回路１１４が、認められる。回路１１４は、例えば、米国特許第５,７５４,０１６号においてＪｏｖａｎｏｖｉｃ等によって開示されているチップ振動連続制御システムであり、その米国特許第５,７５４,０１６号は、それを引用することにより、その全体が本明細書に組み入れられている。使用時において、回路１１４は、超音波周波数で発振する電流を発生し、そして、その電流は、電気導体を介して、ハンドピースハウジング１８内に閉じ込められているコイルへ導かれる。
【００２３】
以上のように、歯科用歯石除去器・リザーバシステム１０は、歯石除去器ハウジング１２と、歯石除去器弁と、圧縮機ハウジング１６と、リザーバ弁と、圧縮機と、内部チャンバを有しているリザーバハウジング１４と、ハンドピース弁及び振動部材を有しているハンドピースハウジング１８とを具備している。歯石除去器ハウジング１２は、リザーバハウジング１４によって支持されている。圧縮機は、圧縮機導管に接続されている。圧縮機導管は、リザーバハウジングの内部チャンバに接続されており、これにより、圧縮機とリザーバハウジングの内部チャンバとの間の流体流れ連通状態が、もたらされている。リザーバハウジングの内部チャンバは、リザーバ導管に接続されている。リザーバ導管は、リザーバ弁に接続されており、これにより、内部チャンバとリザーバ弁との間の流体流れ連通状態が、もたらされている。リザーバ弁は、ハンドピース導管に接続されている。ハンドピース導管は、ハンドピース弁に接続されており、これにより、リザーバ弁とハンドピース弁との間の流体流れ連通が、もたらされている。
【００２４】
リザーバ容器１４は、容易に拭き掃除されるべく付形されている。全てのコード及びチューブは、ユニットから容易に取り外される。好適に、外部スイッチング電源が、９０〜２６４ボルト交流(ＶＡＣ)(４７〜６３Ｈｚ)の入力電圧で、直流(ＤＣ)３０ボルトの出力を与えるべく利用される。好適に、使い捨てインラインフィルタが、洗浄液入口ホースに設けられている。洗浄液流制御弁が、ハンドピースに設けられている。ハンドピース載置溝１１Ｇは、洗浄の容易さを保証すべく、頂部ハウジングと一体である。好適に、オン/オフ制御装置が、使用を容易にすべく、回転式電力制御装置と結合されている。電力指示灯１１Ｐは、好適に緑のＬＥＤであると共に、ＤＣ電力がオンであることを指示すべく、電力制御装置の下方に位置させられている。好適に、全てのユニット熱発生部品は、ハンドピースの熱発生を低減させるべく、洗浄路から隔離されている。洗浄最小入力圧力は、好適に１５ｐｓｉｇである。これは、低い水圧で領域内のユニットを通る適切な洗浄流を可能にする。
【００２５】
圧縮機ハウジング１６及びリザーバ１４は、歯石除去器ハウジング１２と共に使用されるべく構成されており、全てのラインが、歯石除去器ハウジング１２から除去されている。リザーバ１４及び歯石除去器ハウジング１２は、一体となるようにスナップ嵌めされる。フット制御装置接続部及びハンドピース接続部は、圧縮機ハウジング１６の後に作られている。全ての電気的な接続は、内圧縮機制御コネクタ４４(例えば相互接続ボードコネクタ)と、歯石除去器ハウジング１２によって支持されている外圧縮機制御コネクタ４６(例えば接合コンセント)とを介してなされる。洗浄液は、弁５０を通過し、その弁５０は、好適に、一体化ソレノイド・圧力調整器である。出力圧力は、好適に、１５±１ｐｓｉｇに設定されている。これは、変動する入力圧力での不変の洗浄液出力を維持するためである。ソレノイドは、調整器の下流側にある。流れのランオンは、フットスイッチが押下され且つ解放されるときに、最小化される。一体化位相同期ループシステムが、多数の異なる２５ｋＨｚ歯石除去器インサートについてのピーク性能を保証すべく、好適に使用される。電圧感知回路が、スイッチング電源の出力において見られ得る実効負荷・ライン偏差を減少させるべく、好適に使用される。
【００２６】
圧縮機ハウジング１６及びリザーバ１４が歯石除去器１２と共に使用される場合には、フットスイッチ、電源、水入口ホース及びハンドピースホースが、ユニットから取り外される。歯石除去器１２は、圧縮機ハウジング１６とリザーバ１４とに好適に接続される。それらは、例えば、圧縮機ハウジング１６からの圧縮機制御コネクタ４４(例えば後部ＰＣＢエッジカードコネクタ)を歯石除去器ハウジング１２の(ＰＣＤエッジ)カードコンセント４６内へ差し込むことにより、接続される。歯石除去器ハウジング１２は、圧縮機ハウジング１６及びリザーバ１４と一体となるようにスナップ嵌めされる。好適に、保持機構は、プラスチックのラッチ及び受座である。キャッチ３８は、キャッチコネクタ３８Ｃによって歯石除去器ベース１２Ｂに接続されている。フットスイッチ、電源及びハンドピースが、圧縮機ハウジング１６の後部におけるそれらのそれぞれの位置に接続される。電源、フットスイッチ及びハンドピースの接続は、ＰＣＢエッジカード接続部を介して好適になされる。
【００２７】
小さいダイヤフラム空気圧縮機が、リザーバ容器１４内のリザーバチャンバを１５〜１９ｐｓｉｇに加圧すべく、好適に利用される。これは、洗浄液をリザーバ１４から前進させる圧力を供給する。洗浄液出口５７Ｃは、六分の一回転コネクタ３２の一方の端部の底部に位置させられており、その六分の一回転コネクタ３２は、キャップ１２Ｃとは反対側の、リザーバ容器１４の端部における開口壁に隣接し且つその開口壁によって取り囲まれる。それは、隔離ソレノイド弁に好適に接続されている。そして、このソレノイド弁の出力は、ハンドピースコンセント洗浄ポートに好適に接続される。これは、リザーバ容器１４を単に通過するだけの流路を有利にする。全てが圧熱滅菌可能な部品を利用することにより、ユニット全体が、好適に圧熱滅菌可能になる。
【００２８】
好適に、リザーバ容器１４は、４５０〜５００ｍｌの量の液(例えば、無菌水)を保持している。リザーバ容器１４は、６０°の回動により、後部分取装置に咬合させられる。前足部は、リザーバ容器１４と一体である。容器１４と後部支持体との間のＯリングは、シールを生成する。リザーバ容器１４は、蒸気圧熱滅菌可能である。
【００２９】
本発明の好適な実施形態によると、歯科用歯石除去器システムが、提供され、その歯科用歯石除去器システムは、歯石除去器導管及び歯石除去器弁を取り囲んでいる歯石除去器ハウジングを具備している歯石除去器と、ハンドピース弁及びハンドピース導管を取り囲んでいるハンドピースハウジングを具備しているハンドピースとを具備しており、ハンドピース弁は、歯石除去器導管及びハンドピース導管を介して、歯石除去器弁に流体流れ連通状態で接続されている。好適に、ハンドピースは、歯石除去チップを更に具備していると共に、ハンドピース弁は、歯石除去チップに流体流れ連通状態で接続されている。
【００３０】
本発明の好適な実施形態によると、歯科用歯石除去器システムを使用する方法が、提供され、その方法は、第２の歯石除去器導管と歯科用歯石除去器システムとを用意することを具備しており、その歯科用歯石除去器システムは、第１の歯石除去器導管及び歯石除去器弁を取り囲んでいる歯石除去器ハウジングを具備している。第２の歯石除去器導管は、歯石除去器弁との流体流れ連通状態では接続されていない。ハンドピースシステムであって、歯石除去器チップと、ハンドピース導管及びハンドピース弁を取り囲んでいるハンドピースハウジングとを具備しているものが、用意される。ハンドピース導管は、歯石除去器導管に流体流れ連通状態で接続される。第１の流体が、第１の歯石除去器導管、歯石除去器弁及びハンドピース弁を介して、歯石除去器チップに運ばれる。第２の流体が、第２の歯石除去器導管及びハンドピース弁を介して、歯石除去器チップに運ばれ、そして、チップは、歯石を除去すべく、患者の口内の歯に隣接して位置させられる。好適に、方法は、リザーバ弁及び空気圧縮機を取り囲んでいる圧縮機ハウジングを具備している圧縮機と、リザーバ内部チャンバを有しているリザーバハウジングを具備しているリザーバとを用意することを更に具備しており、リザーバ弁は、歯石除去器導管とリザーバ内部チャンバとに流体流れ連通状態で接続されている。
【００３１】
本発明の好適な実施形態によれば、歯科用歯石除去器システムを使用する方法が、提供され、その方法は、チップと第１の液を収容しているリザーバとに接続されている歯科用歯石除去器を用意することと、第１の液の少なくとも部分をチップへ運んでいる間チップを超音波的に運動させることと、第２の液の少なくとも部分をチップへ運んでいる間チップを超音波的に運動させることとを具備している。好適に、第１の液は、圧縮機ハウジング内に閉じ込められている圧縮機からリザーバへ運ばれる加圧空気により、リザーバ内で加圧される。好適に、第２の液は、複数の場所を接続している水分配導管システムによって歯科用歯石除去器システムへ運ばれる水である。
【００３２】
本発明の好適な実施形態によると、歯科用歯石除去器システムを使用する方法が、提供され、その方法は、第１の歯石除去器導管と歯科用歯石除去器システムとを用意することを具備しており、その歯科用歯石除去器システムは、第２の歯石除去器導管及び歯石除去器弁を取り囲んでいる歯石除去器ハウジングを具備している。第１の歯石除去器導管は、歯石除去器弁との流体流れ連通状態では接続されていない。ハンドピースシステムであって、歯石除去器チップと、ハンドピース導管及びハンドピース弁を取り囲んでいるハンドピースハウジングとを具備しているものが、用意され、ハンドピース導管は、第１の歯石除去器導管に流体流れ連通状態で接続されている。第１の流体が、第１の歯石除去器導管、歯石除去器弁及びハンドピース弁を介して、歯石除去器チップに運ばれる。ハンドピース導管は、第２の歯石除去器導管に流体流れ連通状態で接続されており、そして、第２の流体が、第２の歯石除去器導管及びハンドピース弁を介して、歯石除去器チップに運ばれる。好適に、歯科用歯石除去器システムは、チップを患者の口内の歯に隣接して位置させて歯石を除去することを更に具備している。好適に、歯科用歯石除去器を使用する方法は、リザーバ弁及び空気圧縮機を取り囲んでいる圧縮機ハウジングを具備している圧縮機システムと、リザーバ内部チャンバを有しているリザーバハウジングを具備しているリザーバシステムとを用意することを更に具備しており、リザーバ弁は、第２の歯石除去器導管とリザーバ内部チャンバとに流体流れ連通状態で接続されている。好適に、リザーバハウジングは、取り外し可能なコネクタを介して、歯石除去器ハウジングに取り外し可能に接続されており、これにより、歯石除去器ハウジングを持ち上げると、リザーバハウジングは、取り外し可能なコネクタを介して、持ち上げられ且つ支持される。好適に、リザーバハウジングは、回転可能なコネクタを介して、圧縮機ハウジングに取り外し可能に接続されており、これにより、圧縮機ハウジングを持ち上げると、リザーバハウジングは、回転可能なコネクタを介して、持ち上げられ且つ支持される。好適に、リザーバハウジングは、少なくとも２つのリザーバハウジング足部を有していると共に、歯石除去器ハウジングは、少なくとも２つの歯石除去器ハウジング足部を有しており、そして、リザーバハウジング足部は、実質的に水平な面によって支持されると共に、歯石除去器ハウジング足部は、リザーバハウジングによって支持されている。
【００３３】
本発明の好適な実施形態によると、歯科用歯石除去器システムを使用する方法が、提供され、その方法は、歯石除去器システムと圧縮機システムとハンドピースシステムとを具備している歯科用歯石除去器システムを用意することを具備している。歯石除去器システムは、歯石除去器導管及び歯石除去器弁を取り囲んでいる歯石除去器ハウジングを具備している。圧縮機システムは、リザーバと、圧縮機及び圧縮機導管を取り囲んでいる圧縮機ハウジングとを具備している。リザーバは、リザーバ流体を容器チャンバ内に閉じ込めている容器を具備している。ハンドピースシステムは、歯石除去器チップと、ハンドピース導管及びハンドピース弁を取り囲んでいるハンドピースハウジングとを具備している。ハンドピース導管は、圧縮機導管に流体流れ連通状態で接続されている。リザーバ流体の少なくとも部分が、圧縮機導管、歯石除去器弁及びハンドピース弁を介して、歯石除去器チップに運ばれる。ハンドピース導管は、歯石除去器導管に流体流れ連通状態で接続されており、そして、水が、歯石除去器導管及びハンドピース弁を介して、歯石除去器チップに運ばれる。好適に、歯科用歯石除去器システムを使用する方法は、患者の口内の歯に隣接してチップを位置させて歯石を除去することを更に具備している。好適に、ハンドピース導管が圧縮機導管に流体流れ連通状態で接続される場合には、圧縮機ハウジングが、歯石除去器ハウジングとリザーバハウジングとに接続されると共に、歯石除去器ハンドピースは、リザーバハウジングによって支持される。好適に、ハンドピース導管が歯石除去器導管に流体流れ連通状態で接続される場合には、歯石除去器ハウジングは、実質的に水平な面によって支持される。
【００３４】
本発明の好適な実施形態によると、歯科用歯石除去器システムを使用する方法が、提供され、その方法は、歯石除去器システムと圧縮機システムとを用意することを具備している。歯石除去器システムは、歯石除去器ハウジングを具備しており、その歯石除去器ハウジングは、電気導体を介して電気歯石除去器コネクタに接続されている電気歯科用歯石除去器回路と、歯石除去器弁に接続されている歯石除去器導管とを取り囲んでいる。圧縮機システムは、リザーバと圧縮機ハウジングとを具備しており、その圧縮機ハウジングは、電気導体を介して圧縮機に接続されている電気圧縮機コネクタと、リザーバに接続されている圧縮機導管とを取り囲んでいる。リザーバは、リザーバ流体を容器チャンバ内に閉じ込めている容器を具備している。電気圧縮機コネクタと電気歯石除去器コネクタとが接続されており、歯石除去器ハウジングがリザーバによって支持されており且つ圧縮機導管がハンドピースとの流体流れ連通状態にある間、電気歯科用歯石除去器回路は、超音波発振電流を生成する。電気圧縮機コネクタと電気歯石除去器コネクタとが接続されておらず、歯石除去器ハウジングと圧縮機ハウジングとが分離されており且つ歯石除去器導管がハンドピースとの流体流れ連通状態にある間、電気歯科用歯石除去器回路は、超音波発振電流を生成する。好適に、歯石除去器ハウジングは、歯石除去器導管を取り囲んでいる。好適に、方法は、更に、歯石除去器チップと、ハンドピース導管及びハンドピース弁を取り囲んでいるハンドピースハウジングとを具備しているハンドピースシステムを用意し、ハンドピース導管を歯石除去器導管に流体流れ連通状態で接続し、歯石除去器導管及びハンドピース弁を介して水を歯石除去器チップに運び、ハンドピース導管を圧縮機導管に流体流れ連通状態で接続し、そして、圧縮機導管、歯石除去器弁及びハンドピース弁を介して、リザーバ流体の少なくとも部分を歯石除去器チップに運ぶことを具備している。
【００３５】
本発明がその或る特定の実施形態に関してかなり詳細に記載されてきたが、本発明は、そのような実施形態に限定されると考えられるべきではなく、本発明の精神及び添付された請求項の範囲から逸脱することなく他の遣り方で使用され得る、ということが、理解されるべきである。
【図面の簡単な説明】
【図１】  本発明に係る歯科用歯石除去器・リザーバシステムの正面斜視図である。
【図２】  本発明に係る歯科用歯石除去器・リザーバシステムの背面斜視図である。
【図３Ａ】  本発明に係る歯科用歯石除去器・リザーバシステムの底面斜視図である。
【図３】  図１及び図２に示されている本発明に係る歯科用歯石除去器・リザーバシステムの圧縮機ハウジング及びリザーバハウジングの正面斜視図である。
【図４】  図１及び図２に示されている本発明に係る歯科用歯石除去器・リザーバシステムの歯石除去器の正面斜視図である。
【図５】  図１及び図２に示されている本発明に係る歯科用歯石除去器・リザーバシステムの歯科用歯石除去器の背面斜視図である。
【図６】  図１及び図２に示されている本発明に係る歯科用歯石除去器・リザーバシステムの歯科用歯石除去器の底面斜視図である。
【図７】  図１及び図２に示されている本発明に係る歯科用歯石除去器・リザーバシステムの圧縮機ハウジングの正面斜視図である。
【図８】  図１及び図２に示されている本発明に係る歯科用歯石除去器・リザーバシステムの圧縮機システムの斜視図である。
【図９】  図１及び図２に示されている本発明に係る歯科用歯石除去器・リザーバシステムの歯石除去器制御システムの平面斜視図である。
【図１０】  図１及び図２に示されている本発明に係る歯科用歯石除去器・リザーバシステムと共に使用されるハンドピースハウジングの斜視図である。
【図１０Ａ】  図１及び図２に示されている本発明に係る歯科用歯石除去器・リザーバシステムと共に使用されるハンドピース、導管及びコネクタの側断面図である。
【図１０Ｂ】  図１及び図２に示されている本発明に係る歯科用歯石除去器・リザーバシステムと共に使用されるハンドピース用インサートの側面図である。
【図１１】  図１及び図２に示されている本発明に係る歯科用歯石除去器・リザーバシステムと共に使用されるハンドピースハウジングの側断面図である。
【図１２】  図１１に示されているハンドピースハウジングの端面図である。
【図１３】  図１１に示されているハンドピースハウジングの部分側断面図である。
【図１４】  図４〜図６に示されている本発明に係る歯科用歯石除去器システム用の概略図である。
【図１５】  図１及び図２に示されている本発明に係る歯科用歯石除去器・リザーバシステムの概略図である。
【図１６】  図１及び図２に示されている本発明に係る歯科用歯石除去器・リザーバシステム用の概略回路図である。
【図１】
0004597457.tif 000002
【図２】
0004597457.tif 000003
【図３Ａ】
0004597457.tif 000004
【図３】
0004597457.tif 000005
【図４】
0004597457.tif 000006
【図５】
0004597457.tif 000007
【図６】
0004597457.tif 000008
【図７】
0004597457.tif 000009
【図８】
0004597457.tif 000010
【図９】
0004597457.tif 000011
【図１０】
0004597457.tif 000012
【図１０Ａ】
0004597457.tif 000013
【図１０Ｂ】
0004597457.tif 000014
【図１１】
0004597457.tif 000015
【図１２】
0004597457.tif 000016
【図１３】
0004597457.tif 000017
【図１４】
0004597457.tif 000018
【図１５】
0004597457.tif 000019
【図１６】
0004597457.tif 000020